(57)【要約】【課題】汎用性の高いパレットサポータの提供を目的とする。【解決手段】対象パレット３の四隅部に装着され、隣接する側壁８、９および上面壁１０に当接する当接片１１と、  当接片１１に固定されて対象パレット３の四隅部外方に配置され、縦杆２の下端部が嵌入固定される支持筒１２とを備えたアタッチメント１３を有して構成する。  また、横杆１の両端部から垂下された縦杆２の下端部を対象パレット３３の対角２点に固定して該対象パレット３３に取り付けられる支持枠４の一対を有し、  各横杆１に、交差する他の横杆１’に係合して長手方向への支持枠４の移動、および他の横杆１’の長手方向に対するほぼ直交方向への他の支持枠４’の移動を所定範囲内に規制するとともに、他の横杆１’との交差角度を可変にする係合部５を設けて構成する。【選択図】  図１
2006069661.tif 000002
【特許請求の範囲】
【請求項１】
対象パレットの四隅部に装着され、隣接する側壁および上面壁に当接する当接片と、
当接片に固定されて対象パレットの四隅部外方に配置され、縦杆の下端部が嵌入固定される支持筒とを備えたアタッチメントを有するパレットサポータ。
【請求項２】
対象パレットの四隅部に取り付けられたアタッチメントを対象パレットとともに囲ってアタッチメントの対象パレットからの脱落を禁止する囲繞枠を有し、
前記アタッチメントには、囲繞枠を支持する支持部が設けられる請求項１記載のパレットサポータ。
【請求項３】
横杆の両端部から垂下された縦杆の下端部を対象パレットの対角２点に固定して該対象パレットに取り付けられる支持枠の一対を有し、
各横杆には、交差する他の横杆に係合して長手方向への支持枠の移動、および他の横杆の長手方向に対するほぼ直交方向への他の支持枠の移動を所定範囲内に規制するとともに、他の横杆との交差角度を可変にする係合部が設けられるパレットサポータ。
【請求項４】
前記係合部は、横杆を押し潰して形成される潰し部に横杆の幅寸法よりも広い間隔を隔てて対向する一対の垂直壁を固着して形成される請求項３記載のパレットサポータ。
【発明の詳細な説明】
【技術分野】
【０００１】
本発明はパレットサポータ、すなわち、荷物を載せたパレットの上にさらに他のパレットを積み重ねることができるようにパレットに対して取り付けられるサポータに関するものである。
【背景技術】
【０００２】
従来、パレットサポータとしては、特許文献１に記載されたものが知られている。この従来例において、パレットサポータは、横桟の両端部に支脚の上端部を溶接して下向きコ字状に形成される支持枠の一対を備え、Ｘ字上に交差する横桟を二本の位置固定ピンで相対回転不能に連結するとともに、平面視コ字状の嵌着体を桁に外嵌させてパレットの四隅に固定されるアタッチメントの支脚挿入溝に各支脚の下端を挿入することによりパレットに取り付けられる。
【特許文献１】特開平１１-２０８２５号公報
【発明の開示】
【発明が解決しようとする課題】
【０００３】
しかしながら、上記従来例は汎用性が低いという欠点がある。
すなわち、上記従来例においては、アタッチメントのパレットへの固定がコ字状の嵌着体の桁への外嵌によってなされるために、桁と嵌着体は相互に嵌合できる寸法に形成されていなければならない。一方、一般に流通しているパレットは、合成樹脂製、木製、スチール製など材質に関し、またそのサイズに関しても多くの種類があり、材質やサイズに応じて要求される強度を満たすように桁が設計されて量産される。したがって、パレットの種類によって桁の幅や高さ寸法が異なるために、アタッチメントもパレットの種類に応じて変更しなければならない。
【０００４】
また、支持枠についても同様であり、上記従来例においては変形能を全く有しないために、上述した異なるパレットサイズ、すなわち縦横寸法比などの個々の装着条件に合わせた種類を個別に製作、用意しなければならない。
【０００５】
本発明は、以上の欠点を解消すべくなされたものであって、汎用性の高いパレットサポータの提供を目的とする。
【課題を解決するための手段】
【０００６】
本発明によれば、上記目的は、
対象パレット３の四隅部に装着され、隣接する側壁８、９および上面壁１０に当接する当接片１１と、
当接片１１に固定されて対象パレット３の四隅部外方に配置され、縦杆２の下端部が嵌入固定される支持筒１２とを備えたアタッチメント１３を有するパレットサポータを提供することにより達成される。
【０００７】
本発明によれば、パレットサポータは、対象パレット３の隅部において直交する二面の側壁８、９および上面壁１０に当接片１１を当接させて取り付けられるアタッチメント１３を有して構成される。したがって、アタッチメント１３は対象パレット３の角、すなわち材質やサイズの影響を受けない外形形状を利用して取り付けられるために、対象パレット３の種類に対するパレットサポータの汎用性を極めて向上させることができる。アタッチメント１３の取り付けは、矩形形状の対象パレット３の四隅部に対して上面側から当接片１１を被せることにより容易に行うことができ、取り付け状態におけるアタッチメント１３は対象パレット３により垂直方向に支持される。当接片１１の面積はパレットサポータが負担する荷重を考慮して適宜決定することが可能で、対象パレット３の側壁８、９に対応する面については、一般に高さ方向が水平方向に比べて格段短いパレットの最小高さ寸法を考慮して高さ方向と水平方向の寸法比が決定されることにより、桁の高さ寸法の影響を防止することが可能である。
【０００８】
縦杆２を支持する支持筒１２は、上記当接片１１に固定されて対象パレット３の四隅に対応して配置される。この支持筒１２は、対象パレット３の四隅部外方に配置されることにより、対象パレット３との干渉が防止される。
【０００９】
上述した当接片１１は、対象パレット３に対して直交三面で当接し、アタッチメント１３の直交する三方向、すなわち上記三面から対象パレット３内方に向かって下ろした三本の垂線により囲まれる方位の移動を規制する。したがって、対象パレット３の対角線上に配置される一対の当接片１１、１１を協働させることにより対象パレット３に対するアタッチメント１３の水平方向の移動を規制することが可能となる。すなわち、例えば、上記支持筒１２に支持される対角線上の一対の縦杆２、２を連結したり、あるいは、囲繞枠１４によって四隅に配置されたアタッチメント１３を対象パレット３ともに囲うことにより、アタッチメント１３の水平方向の移動による対象パレットからの脱落を防止することができる。なお、パレットサポータの上下方向への移動については、下方へは自重により規制され、上方については荷重が負荷されないため規制を要しない。
【００１０】
また、以上のアタッチメント１３により支持可能で、汎用性を高めることができる支持枠４が以下に提案される。すなわち、一般にパレットサポータは、支持枠の横杆が上段に積層されるパレットに対する支持部を提供し、縦杆が、支持部上の積載物の荷重支持部、およびフォークリフト等によるパレット搬送時のパレット上の荷物の移動を規制して荷崩れを防止するための障壁部として機能するもので、パレットサポータの使用に際して発生する外力に対する抗力は主として縦杆が負担するものと考えられる。そして、支持枠をパレット上に立設させた状態においては、支持枠により構成される平面が倒伏する方向の外力に対しては、縦杆のパレットとの連結部における曲げモーメントのみが抗力となるために、他の方向の外力に比して倒伏方向の強度条件は良好とはいえない。
【００１１】
一方、上述した従来例のように横杆をＸ字状に交差させるパレットサポータにあっては、上記強度不足を他方の支持枠により補完することが可能である。他方の支持枠による強度補完は、上記モーメント発生方向の変位を規制し、他方の支持枠に抗力を分配、あるいは伝達することにより達成可能であり、全体の強度を考慮した場合、補完タイミングは、破断に至るまでの曲げモーメントが発生する前であれば足りる。すなわち、抗力分配が破断に至る曲げモーメントの発生前に行われれば支持枠の倒伏を防止することが可能であり、前記曲げモーメントが生じるまでの間隙を活用することで支持枠の横杆同士の交差角に自由度を与えることが可能である。
【００１２】
この発明は、以上の知見に基づいてなされたものであって、
横杆１の両端部から垂下された縦杆２、２の下端部を対象パレット３の対角二点に固定して該対象パレット３に取り付けられる支持枠４の一対を有し、
各横杆１に、交差する他の横杆１’に係合して長手方向への支持枠４の移動、および他の横杆１’の長手方向に対するほぼ直交方向への他の支持枠４’の移動を所定範囲内に規制するとともに、他の横杆１’との交差角度を可変にする係合部５を設けて構成することにより、汎用性を高めることができるものである。
【００１３】
本発明によれば、横杆１、１’の交差角度が可変であるために、横杆１の両端部から垂下される縦杆２、２の下端の配置、すなわち横杆１から垂下された縦杆２、２と他の横杆１’から垂下された縦杆２、２との間隔を変更することができ、これによって対角線の交差角度、すなわち縦横比が異なる複数の対象パレット３への支持枠４の共用を可能にすることができる。また、横杆１の長手方向への支持枠４の移動、および他の横杆１’の長手方向に対するほぼ直交方向への他の支持枠４’の移動を所定範囲内、すなわち破断に至る曲げモーメントが生じない範囲でのみ支持枠４の倒伏方向への移動を許容し、当該範囲を超えた場合には他の支持枠４’により支持枠４のモーメント発生方向の移動を禁止するために、他の支持枠４’によって強度を補完して支持枠４と対象パレット３との連結部における破断を防止することができる。
【００１４】
横杆１の係合部５は、支持枠４の横杆１長手方向等への相対移動を所定範囲に制限するストッパーを横杆１から突設することによって形成することが可能で、各横杆１の交差部位近傍に一対のストッパーを他の横杆１’の幅寸法よりも広い間隔を隔てて設けることにより構成することができる。一方、一対の横杆１、１’を同一平面上に配置すれば直接対象パレット３をその上に載せて横杆１、１’との線接触によって荷重を支えることができ、この場合交差部位に潰し加工や曲げ加工を施すことにより横杆１、１’同士を交差させることが可能となる。そして、上記潰し加工によれば曲げ加工よりも高さ方向における横杆１の占有スペースをより小さくすることができる。したがって横杆１に潰し部６を形成するとともに、この潰し部６に上記ストッパーを形成した場合には、積載スペースをより広く確保できるとともに、別途加工等によって上段に積まれるパレットの支持部を形成する手間を省くことが可能となる。
【００１５】
また、上記潰し部６の端部を傾斜面にすることは加工の手間を省くために有用であり、この傾斜面を直接上記ストッパーとして機能させることも不可能ではないが、別途垂直壁７をストッパーとして潰し部６に固着すれば、横杆１の傾斜面への乗り上がり、すなわち傾斜面によって生じる横杆１の倒伏力の分力によって横杆１がストッパーを避けるように移動することを防止することができるとともに、一対のストッパーの間隔の寸法精度を容易に高めることができる。なお、ストッパーの間隔は縦杆２の曲げ強度等を勘案して適宜決定することが可能である。
【発明の効果】
【００１６】
本発明によれば、汎用性を高めることができるために、パレットサポータの製造効率や使い勝手を極めて向上させることができる。
【発明を実施するための最良の形態】
【００１７】
図１ないし図６に本発明の実施の形態を示す。この実施の形態においてパレットサポータ２０は、図１（ａ）および（ｂ）に示すように、取付対象のパレット（対象パレット３）の四隅部に装着されるアタッチメント１３と、このアタッチメント１３に下端部を支持されてパレット３の上方に立設される一対の支持枠４、４’とを有する。上記パレット３は、合成樹脂材を射出成形して形成される縦１０００ｍｍ×横１２００ｍｍの平面視矩形のほぼ平板形状のもので、上面壁１０を形成するデッキボード３ａと下壁面を形成するボトムボード３ｂとの間に桁３ｃを架け渡して形成される。なお、図１（ａ）において３ｄは、フォークリフトのフォークを差し込むための差込口であり、パレット３の対向辺縁間を貫通して形成される。
【００１８】
アタッチメント１３は、図２に示すように、互いに直交する三面の平板部２１、２１’，２１”からなる当接片１１と、該当接片１１に溶接固定されて一の平板部２１に対して直交方向に配置される支持筒１２とを有する。上記当接片１１は金属板材を折り曲げ、溶接等することにより平板部２１の三面を接合して形成され、デッキボード３ａの上面壁１０隅部に上記一の平板部２１を被せるようにしてパレット３に載せられて装着される。この状態で隣接する他の二面の平板部２１’、２１”はパレット３の縦方向の側壁８、および横方向の側壁９の表面に当接する。
【００１９】
支持筒１２は、上記横方向の側壁８に対応する平板部２１の一面にＵ字状に折り曲げた金属板材の両端を溶接固定して垂直方向に開口するほぼ筒状に形成される。この支持筒１２は、図２（ａ）に示すように、後述する縦杆２の外径とほぼ同寸、厳密に言えばクリアランスを考慮してやや大きい程度の半径寸法からなる円弧部１２ａを備えた断面ほぼＤ字状の開口部２２を有する。なお、図２（ａ）および（ｂ）において２３は開口部２２の広さを調整するために上記平面部に溶接固定される調整板である。なお、パレット３の隅部の位置により縦方向の側壁９に対応する当接片１１の平板部２１”は変更されるために、支持筒１２の当接片１１に対する固定箇所は支持筒１２のパレットに対する取付位置に応じて適宜変更され、したがってアタッチメント１３は、パレット３の異なる対角二点に対応して線対称のものが２種類が形成される。
【００２０】
支持枠４は、図３（ａ）に示すように、横杆１の両端部に縦杆２、２を溶接固定して形成される正面視コ字形状に形成され、直交する横杆１と縦杆２との連結部には補強のために三角形状の補強板２４がさらに溶接固定される。上記横杆１および縦杆２はスチール等からなる同径のパイプ材であり、縦杆２の下端よりやや上方には、縦杆２外径より一段突出して縦杆２の下端部を上記支持筒１２のほぼ全長にわたって挿通させたときに支持筒１２の上端面に係止する規制片２５が設けられる。なお、図３（ａ）等において２６は横杆１の端部を閉塞するキャップである。
【００２１】
上記支持枠４の一対は横杆１をＸ字状に交差させることにより互いに連結される。縦杆２の下端を揃えた状態で同一面上を交差する横杆１、１’には、図３（ｂ）に示すように、交差部位であるその長手方向ほぼ中心部近傍に係合部５が形成される。係合部５は、縦杆２を潰し加工により押し潰して外形のほぼ半分程度の高さに加工した潰し部６を備え、この潰し部６は、一対の支持枠４、４’において互いに対称位置、すなわち、図３（ｂ）および（ｃ）に示すように、一方の支持枠４には縦杆２の反対側から横杆１に対して潰し加工を施して縦杆２の反対側に、他方の支持枠４’には縦杆２’側から潰し加工して縦杆２’側に配置される。
【００２２】
したがって、横杆１、１’が同一平面上で交差するように一対の支持枠４、４’を組み付けると、互いの潰し部６、６’は上下に対峙して交互に噛み合うように係合し、この状態において支持枠４は、他の支持枠４’の潰し部６’の終端に係止しない範囲で、潰し部６’の横杆１長手方向の長さに応じて横杆１、１’の交差角度を変化させるようにして水平方向に相対回転移動可能となる。また、一対の支持枠４、４’のそれぞれの横杆１、１’長手方向やその直交方向への水平方向に生じるずれも、上記同様潰し部６の横杆１長手方向の長さに応じて、潰し部６の終端に係止しない範囲で可能となる。
【００２３】
このずれを適宜の厳密な範囲に制限するために、係合部５は係止片２７を有する。図３（ｂ）および（ｃ）に示すように、係止片２７は、金属の板材をほぼ直角に折り曲げて側面視Ｌ字形状に形成され、潰し部６の底面および傾斜状の側壁面にＬ字の両端を溶接して互いに向き合うように潰し部６に一組固定される。固定状態においてＬ字の長辺側は横杆１の上端縁とほぼ沿って、すなわち同じ高さに位置し、短辺側はほぼ垂直の垂直壁７となる。この一対の係止片２７、２７の垂直壁７、７は、潰し部６の幅寸法、すなわち横杆１の径よりもやや大きい間隔を隔てて配置され、垂直壁７との間隙により一対の横杆１、１’の上記ずれの幅が制限されると同時に、所定角度範囲内での一対の横杆１、１’の相対回転移動が許容される。また、上記垂直壁７は、図４（ｃ）に示すように、平面視において上記相対回転移動の角度変位範囲Ａのほぼ中心の角度、すなわち、係止片２７が固定された一方の横杆１に対して他方の横杆１’のみを相対回転させた場合に該他方の横杆１’が変位する範囲のほぼ中心の方向に沿って形成される。
【００２４】
この実施の形態において、上記角度変位範囲Ａは、一般に多用されるいわゆる定形のものである縦横１１００ｍｍ角のものと、縦１０００×横１２００ｍｍのものの２種類のパレット３、およびパレット３に対する支持筒１２取付位置の異なるアタッチメント１３に対し、支持枠４を共用できるように設定される。すなわち、図５（ａ）に示す縦１０００ｍｍ×横１２００ｍｍのパレット３を横向きにしてアタッチメント１３を横付け（支持筒１２をパレット３の横方向に突出させる取り付け方）した場合、図５（ｂ）に示す上記パレット３にアタッチメント１３を前付け（支持筒１２をパレット３の縦方向に突出させる取り付け方）した場合、および図５（ｃ）に示す縦横１１００ｍｍのパレット３’にアタッチメント１３を横付けした場合の３種類の装着条件に合わせて支持枠４、４’が変形できるように構成される。以上の条件における縦杆２、２’の縦横方向のピッチ、および横杆１、１’の公差角度は、図５（ａ）のＬ１（縦）凡そ９４９ｍｍ、Ｗ１（横）凡そ１２６０ｍｍ、θ１（公差角度）凡そ１０６度、図５（ｂ）のＬ２凡そ１０４９ｍｍ、Ｗ２凡そ１１６０ｍｍ、θ２凡そ９５．８度、および図５（ｃ）のＬ３凡そ１０６０ｍｍ、Ｗ３凡そ１１４９ｍｍ、θ３凡そ９４．６度であり、したがって上述した垂直壁７、７は、係止片２７が固定された横杆１の長手方向に対して約１００度強の角度を傾けて形成される。
【００２５】
これにより、上記図５（ａ）の条件であるこの実施の形態においては、図４（ａ）に示すように一方の横杆１に固定された係止片２７、２７の垂直壁７、７と他方の横杆１’とが公差角度（図５（ａ）における角度θ１）を大きくしない方向に当接する。このとき、同時に他方の横杆１’の垂直壁７、７は、上記一方の横杆１と上述同様公差角度を大きくしない方向に当接する。なお、図５（ｃ）の条件においては、図４（ｂ）に示すように上記公差角度を小さくしない方向に当接する。
【００２６】
以上のパレットサポータは、パレット３の四隅部に支持筒１２が垂直方向に開口するように当接片１１を被せてアタッチメント１３、１３・・を装着し、次いで、対角線上に対をなす支持筒１２、１２に対して支持枠４の２本の縦杆２、２の下端部を差し込むことによりパレット３に対して支持枠４を装着することができる。この差し込みは支持枠４の自重を利用して行うことが可能で、支持筒１２の上端面に対して規制片２５が係止することで縦杆２の過剰な差し込みが禁止される。
【００２７】
支持枠４の装着は潰し部６が縦杆２の反対側に配置される一方の支持枠４、潰し部６が縦杆２側に配置される他方の支持枠４’の順に装着することで容易に係合部５を係合させることができ、パレット３の対角に交差する互いの潰し部６、６’は上下に対峙して交互に噛み合うように係合する。また、支持枠４の装着に際しては、支持筒１２に順次縦杆２を挿入することで支持枠４、４’の公差角度が適宜決定される。
【００２８】
この装着状態において、パレットサポータ２０の交差する二本の横杆１、１’は水平面上に配置されるために、他のパレットを直接横杆１、１’の上方に載せれば、該パレットを横杆１、１’の線接触により水平に支えることができる。また、上方に載せられるパレットおよびその積載物の荷重は縦杆２が負担し、振動等によって支持枠４が倒伏方向に傾いた場合には、該傾斜する支持枠４の横杆１が他方の支持枠４’の係止片２７、２７の垂直壁７、７に係止し、倒伏方向の強度が他方の支持枠４’によって補完されるために、縦杆２、２が支持筒１２の基端部で破断するほどの角度まで支持枠４が倒れてしまうことはない。
【００２９】
さらに、この実施の形態において、パレット３に対してアタッチメント１３を固定するために、パレットサポータ２０は囲繞枠１４を備える。囲繞枠１４は、図６（ａ）に示すように、金属からなる帯状体を平面視コ字形状に折り曲げて形成される枠体２８の一対をリベット２９、２９で止めて形成され、パレット３の外周にほぼ沿う四角形に形成される。この囲繞枠１４は、図６（ｂ）および（ｃ）に示すように、アタッチメント１３の支持筒１２基端部に形成されるスリット（支持部１５）に支持されてパレット３の上面壁１０四隅部に載置されたアタッチメント１３の当接片１１の外周を囲繞し、アタッチメント１３のパレット３からの脱落を防止する。
【００３０】
したがって上記囲繞枠１４の大きさは、装着状態においてアタッチメント１３の外周周りよりもやや大きくして装着作業性を高めることが可能で、パレット３の上面壁１０隅部に被さる当接片１１の上面側平面部２１が前記隅部から平面視において外れない程度の大きさに適宜形成される。なお、囲繞枠１４は、上述したパレット３の取付条件に応じて、当該条件に合致するものに適宜変更される。
【００３１】
このように囲繞枠１４を使用することにより、アタッチメント１３を囲繞枠１４によって容易に脱落しないようにパレット３に対して取り付けておくことが可能となり、例えば、アタッチメント１３と囲繞枠１４を予め装着したパレット３に対して荷物を積載した後、支持枠４を後付けすれば、荷物の積載作業性を高めることができる。特に、レンタルされる場合が多いパレット３の使用状況によれば、アタッチメント１３と囲繞枠１４をパレット３にセットにして予め装着しておけば、段積みする場合などパレット３使用者の必要に応じて別途用意してある支持枠４を装着することが可能で、パレットサポータ２０の使い勝手をより向上させることができる。
【００３２】
また、パレットサポータ２０のパレット３からの取り外しは、他方の支持枠４’の潰し部６’に対して上方から係合する潰し部６を備えた一方の支持枠４を上方に引き上げ、この後、残余の支持枠４’を同様に上方に引き上げることによって容易に行うことが可能で、この状態において上述したようにアタッチメント１３等をパレット３に装着したまま残すことができる。アタッチメント１３等も取り外す場合には、さらに囲繞枠１４を上方に引き上げればよく、これによってアタッチメント１３はパレット３上面壁１０に載せられているだけであるために、取り外しに苦慮することはない。また、取り外した後の囲繞枠１４は、リベット２９を中心に回転させれば、占有スペースを小さくすることができ、搬送効率等を高めることができる。
【００３３】
なお、以上の実施の形態において、横杆１はパイプ材であり円形断面に形成されるが、角パイプ等断面が多角形であってもよい。また、縦杆２も同様に、例えばアングル材等適宜の断面形状で構成することが可能で、この場合支持筒１２の開口部２２の断面形状を一致させれば支障はない。さらに、係止片２７や囲繞枠１４についてもプレートやバンド等適宜変更することが可能である。
【図面の簡単な説明】
【００３４】
【図１】本発明のパレットサポータのパレットへの装着状態を示す図で、（ａ）は正面図、（ｂ）は平面図である。
【図２】アタッチメントを示す図で、（ａ）は正面図、（ｂ）は側面図である。
【図３】支持枠を示す図で、（ａ）は一方の支持枠の正面図、（ｂ）は（ａ）の要部断面図、（ｃ）は他方の支持枠の要部正面図である。
【図４】横杆の公差角度の可変機構を説明する図で、（ａ）は図１等における横杆の公差角度の状態を示す図、（ｂ）は横杆の公差角度が変更した状態の一例を示す図、（ｃ）は公差角度の可変範囲を示す図である。
【図５】異なるパレットや取り付け条件の異なるアタッチメントと、その場合の横杆の状態を説明する図で、（ａ）は図１等における場合を示す図、（ｂ）はアタッチメントの取り付け条件が異なる場合を示す図、（ｃ）は他のサイズのパレットにおける場合を示す図である。
【図６】囲繞枠を示す図で、（ａ）は平面図、（ｂ）は（ａ）の要部拡大図、（ｃ）は（ｂ）の側面図である。
【符号の説明】
【００３５】
１    横杆
１’  他の横杆
２    縦杆
３    対象パレット
４    支持枠
４’  他の支持枠
５    係合部
６    潰し部
７    垂直壁
８    側壁
９    側壁
１０    上面壁
１１    当接片
１２    支持筒
１３    アタッチメント
１４    囲繞枠
１５    支持部
【図１】
2006069661.tif 000003
【図２】
2006069661.tif 000004
【図３】
2006069661.tif 000005
【図４】
2006069661.tif 000006
【図５】
2006069661.tif 000007
【図６】
2006069661.tif 000008